(57)【特許請求の範囲】
【請求項１】
水道水の流れの中に置かれて水中で向きが自由に変化できるカートリッジ本体と、
上記カートリッジ本体に収容され、比重が水より大きな添加溶液又は水に溶けてその水溶液の比重が水より大きくなる添加剤と、
上記カートリッジ本体に設けられ上記水中でカートリッジ本体の向きを上下方向に規制する重錘又はフロート手段と、
上下方向の向きが規制された状態のカートリッジ本体の上部に開口され、上記添加溶液が注出される注出口と、
を具備したことを特徴とする溶液注出カートリッジ。
【請求項２】
カートリッジ全体が球形であることを特徴とする請求項１に記載の溶液注出カートリッジ。
【請求項３】
カートリッジ本体の下部に重錘を取付けるとともに、カートリッジ本体の上部に注出口を設けたことを特徴とする請求項１又は請求項２に記載の溶液注出カートリッジ。
【請求項４】
カートリッジ本体の上部に添加剤又は添加溶液を注入するための充填口を開口し、この充填口を蓋体で閉塞し、この蓋体に注出口を設けたことを特徴とする請求項３に記載の溶液注出カートリッジ。
【請求項５】
カートリッジ本体の底部に、添加剤又は添加溶液を注入するための充填口を開口し、この充填口を重錘で閉塞したことを特徴とする請求項３に記載の溶液注出カートリッジ。
【請求項６】
カートリッジ本体の上部に、フロート手段および注出口を設けたことを特徴とする請求項１又は請求項２に記載の溶液注出カートリッジ。
【請求項７】
カートリッジ本体の上部に添加剤又は添加溶液を注入するための充填口を開口し、この充填口を蓋体で閉塞し、この蓋体に注出口を設けるとともに、この蓋体にフロート手段を形設したことを特徴とする請求項６に記載の溶液注出カートリッジ。
【請求項８】
フロート手段が発泡体で形成されていることを特徴とする請求項６又は請求項７に記載の溶液注出カートリッジ。
【請求項９】
フロート手段がカートリッジ本体又は蓋体もしくはこれら両者の間に形成された空気室であることを特徴とする請求項６又は請求項７に記載の溶液注出カートリッジ。
【請求項１０】
添加溶液がアスコルビン酸であり、このアスコルビン酸は粉末の形態で充填口を通じてカートリッジに収容され、この粉末が水に溶けて水溶液となり、この水溶液が注出口より注出されることを特徴とする請求項１ないし請求項９のいずれか一に記載の溶液注出カートリッジ。
【請求項１１】
給水器具本体の通水路に、請求項１ないし請求項１０のいずれか一に記載された溶液注出カートリッジを収容し、このカートリッジ内の添加溶液を上記注出口より上記通水路の水道水に混ぜるようにしたことを特徴とする給水器具。
【発明の詳細な説明】
【技術分野】
【０００１】  本発明は、水道水に塩素除去溶液やアルカリ低減溶液などを混入する溶液注出カートリッジの構造及びこのカートリッジを備えた水道水の末端に設けられる給水器具、例えば給水栓、浄水器、シャワーヘッドなどに関する。
【背景技術】
【０００２】  水道水には殺菌のために塩素が混入されているが、残留塩素はヒトの肌や毛髪に悪影響を及ぼすといわれており、また、水道水にはカルシウムやマグネシウムなどのアルカリ物質が溶存しており、このようなアルカリ濃度の高い水（硬水）は飲み水として不適当であるばかりでなく、長期に亘って使用するとカルシムなどが析出し、これが水道器具などに堆積し、例えばシャワーヘッドの散水板や蛇口に取付けた泡沫金具などが目詰まりする、などの不具合がある。
このような残留塩素やアルカリ物質を中和する物質として、有機酸の一種であるビタミンＣ（アスコルビン酸）が有効である。すなわち、水道水にビタミンＣの水溶液を混ぜると、ビタミンＣと残留塩素やアルカリ物質が反応し、残留塩素やアルカリ物質を中和する。このため浄水器や浄水シャワーなどのような給水器具の通水路に上記ビタミンＣの水溶液を添加する構造のものが知られている。【０００３】    例えば、特開２０００−３５０６７０号では、シャワーヘッドのグリップ部にビタミンＣの粉末を充填したカートリッジを収容し、シャワーヘッドを流れる水の一部をカートリッジの注出口から導入し、この水でビタミンＣ粉末を溶解し、このビタミンＣ水溶液を上記注出口を通じて水道水に混ぜるようにした残留塩素除去形シャワーヘッドが開示されている。
この場合、ビタミンＣの水溶液は水道水より比重が大きいので、カートリッジ内のビタミンＣ水溶液は底に沈む傾向があり、したがってカートリッジの下部に注出口を開口すると、通水を止めている間、つまり使用しないときに、注出口よりビタミンＣ水溶液が漏れ出し、無駄に流出してしまう。このため、注出口はカートリッジの上部に開設するのが望まれる。また、注出口をカートリッジの上部に開口しておけば、最初に使うときにカートリッジ内の空気を放出する、いわゆる空気抜きが円滑に行えるという利点もある。
【特許文献１】  特開２０００−３５０６７０号
【発明の開示】
【発明が解決しようとする課題】
【０００４】  一方、上記公報に記載されたシャワーヘッドは、使用しないときにグリップ部が壁掛けフックに係止され、そのヘッド部が上に位置される構造のものであり、壁掛けフックに掛けたとき、カートリッジはその注出口がカートリッジの上部に位置するようになっている。
しかしながら、上記公報に記載されたシャワーヘッドでは、カートリッジが上下２箇所でグリップ部に支着されており、このためカートリッジを機械的に支持する構造が必要となり、構造が複雑になるといった不具合がある。
また、美容室や理容室で使用されているプロ用シャワーヘッドは、グリップ部が存在しなく、ヘッド部を手のひらで包むように把持して使う。そして、お客さんは椅子に座った姿勢で背凭れが後に倒れ、お客さんは上向きになる。このときお客の頭部は洗面台の上に位置し、美容師又は理容師は、シャワーヘッドを手のひらで握った状態でお客さんの頭部に対し、下から上に向け、又は横向きに水（お湯）を掛けて頭髪を洗うようになっている。すなわち、水の噴出する向きを、上から下向きばかりでなく、下から上向きに噴射させて後頭部を洗ったり、横方向に水を当てて側頭部を洗うなどの操作を行う。このため、シャワーヘッドは絶えず向きを変える。
このような場合、内部に収容したカートリッジがヘッドに止着されていると、ヘッドの向きが変わるたびにカートリッジも向きが変るので注出口の位置が絶えず上下左右に変化し、シャワーを使用している間は問題ないとしても、通水を止めてシャワーを洗面台の上に置き放しにしたときなどは、ヘッドが横に寝かされた状態で置かれることもあり、よって注出口が横向きのまま放置される。このような場合、通水しないにも拘わらず、注出口からビタミンＣの水溶液が漏れ出し、無駄に流出してしまうといった不具合が生じる。【０００５】  本発明は、カートリッジが収容された給水器具の姿勢や向きが変化しても、カートリッジは常に上下方向の姿勢を保つようにし、使用しないときにビタミンＣなどのような添加溶液が無駄に漏洩することがなく、しかも通水時には添加溶液を確実に注出し、残留塩素の除去やアルカリ濃度の低減などに有効に機能する溶液注出カートリッジの構造及びこれを用いた給水器具を提供しようとするものである。
【課題を解決するための手段】
【０００６】    上記目的を達成するため請求項１の発明は、水道水の流れの中に置かれて水中で向きが自由に変化できるカートリッジ本体と、上記カートリッジ本体に収容され、比重が水より大きな添加溶液又は水に溶けた場合にその水溶液の比重が水より大きくなる添加剤と、
上記カートリッジ本体に設けられ上記水中でカートリッジ本体の向きを上下方向に規制する重錘又はフロート手段と、上下方向の向きが規制された状態のカートリッジ本体の上部に開口され、上記添加溶液が注出される注出口と、を具備したことを特徴とする溶液注出カートリッジが提供される。
ここで、添加溶液又は添加剤というのは、水道水の残留塩素を中和・除去する塩素除去剤やアルカリ濃度を低減する酸性剤などの水溶液、肌や頭髪のための洗剤、リンス、潤い剤（モイスチャー）、芳香剤、消臭剤、その他水道水に混ぜられる溶液又は溶剤を言う。
上記残留塩素を中和する材料としては、アスコルビン酸、アスコルビン酸ナトリウム、アスコルビン酸誘導体、亜硫酸カルシウム、亜硫酸ナトリウムなどの使用が有効であり、又アルカリ濃度を低減する酸性剤としては、アスコルビン酸、酢酸、クエン酸、フマル酸、アスパラギン酸、アルギン酸、グルタミン酸、コハク酸、リンゴ酸などの有機酸が有効である。【０００７】  また、請求項２の発明は、カートリッジ全体が球形であることを特徴とする溶液注出カートリッジが提供される。
請求項３の発明は、カートリッジ本体の下部に重錘を取付けるとともに、カートリッジ本体の上部に注出口を設けたことを特徴とする溶液注出カートリッジが提供される。
請求項４の発明は、カートリッジ本体の上部に添加剤又は添加溶液を注入するための充填口を開口し、この充填口を蓋体で閉塞し、この蓋体に注出口を設けたことを特徴とする溶液注出カートリッジが提供される。
請求項５の発明は、カートリッジ本体の底部に、添加剤又は添加溶液を注入するための充填口を開口し、この充填口を重錘で閉塞したことを特徴とする溶液注出カートリッジが提供される。
請求項６の発明は、カートリッジ本体の上部に、フロート手段および注出口を設けたことを特徴とする溶液注出カートリッジが提供される。
請求項７の発明は、カートリッジ本体の上部に添加剤又は添加溶液を注入するための充填口を開口し、この充填口を蓋体で閉塞し、この蓋体に注出口を設けるとともに、この蓋体にフロート手段を形設したことを特徴とする溶液注出カートリッジが提供される。
請求項８の発明は、フロート手段が発泡体で形成されていることを特徴とする溶液注出カートリッジが提供される。
請求項９の発明は、フロート手段がカートリッジ本体又は蓋体もしくはこれら両者の間に形成された空気室であることを特徴とする溶液注出カートリッジが提供される。
請求項１０の発明は、添加溶液がアスコルビン酸であり、このアスコルビン酸は粉末の形態で充填口を通じてカートリッジに収容され、この粉末が水に溶けて水溶液となり、この水溶液が注出口より注出されることを特徴とする溶液注出カートリッジが提供される。
請求項１１の発明は、給水器具本体の通水路に、請求項１ないし請求項１０のいずれか一に記載された溶液注出カートリッジを収容し、このカートリッジ内の添加溶液を上記注出口より上記通水路の水道水に混ぜるようにしたことを特徴とする給水器具が提供される。
ここで、給水器具とは、蛇口、ハンド式シャワーヘッド、固定式シャワーヘッド、浄水器など、水道水を給水する器具を含む。
【発明の効果】
【０００８】  請求項１の発明によれば、カートリッジ本体にフロート又は重錘を設けてカートリッジが流れの中で常に上下方向の向きを一定方向に保つようにしたので、給水器具の向きがどのように変ってもカートリッジは上下方向の姿勢を変えず、このとき注出口は必ず上部に位置するようになる。よって、使用始めの折にカートリッジ内の空気抜きが円滑に行われるばかりでなく、給水器具を使用しない場合、すなわち通水しない場合、カートリッジ本体の溶液が注出口を通じて通水路に洩れ出ることはない。
しかも、水の流れの中でカートリッジは自由に方向を変えられるので、これを拘束する支着構造が不要であり、構造が簡単である。
そして通水した場合、流れる水の一部が注出口よりカートリッジ本体内に侵入し、カートリッジ内の添加溶液を注出口を通じて流水に放出する。よって、この溶液が流水に混合される。【０００９】  請求項２の発明によれば、カートリッジが球形であるから、どのような向きに対しても自由に転動でき、給水器具の向きが変った場合、カートリッジは素早く円滑に向きを変えることができる。
請求項３の発明は、カートリッジ本体の下部に重錘を設けたのでカートリッジの向きが強制的に規制されて上下姿勢を維持することができる。
請求項４の発明によれば、カートリッジ本体の上部に添加剤又は添加溶液を注入するための充填口を開口し、この充填口を蓋体で閉止するとともに、この蓋体に注出口を設けた構造にしたので、カートリッジ本体に格別な注出口を設ける必要がなく、加工や組立てが簡単になる。
請求項５の発明は、カートリッジ本体の底部に添加剤又は添加溶液を注入するための充填口を開口し、この充填口を重錘で閉止する構造を用いたので、重錘水が填口を閉塞する栓体を兼ねることから部品点数を削減でき、加工が容易で、組立ても簡単になる。
請求項６の発明によれば、カートリッジ本体の上部にフロート手段を設けたのでカートリッジの向きが強制的に規制されて上下姿勢を維持することができる。
ここでフロート手段とは、比重が水より小さくてカートリッジ本体の上部に浮力を与えるものを指す。【００１０】  請求項７の発明によれば、カートリッジ本体の上部に添加剤又は添加溶液を注入するための充填口を開口するとともにこの充填口を蓋体で閉塞し、この蓋体に注出口を設け、かつこの蓋体にフロート手段を形設したので、蓋体に集中して注出口およびフロート手段を設けることができ、加工、組み付けが容易になる。
請求項８の発明によれば、フロート手段が発泡体で形成されているので、フロートとしての構造が簡単であり、空気漏れも生じない。
請求項９の発明によれば、フロート手段がカートリッジ本体又は蓋体もしくはこれら両者の間に形成された空気室であることを特徴とするもので、空気室の場合、容量に応じて大きな浮力を発生させることができる。
請求項１０の発明の場合、添加溶液としてビタミンＣを用いるので、水道水に含まれる残留塩素を除去するとともにアルカリ物質を分解してアルカリ濃度を下げることができる。
しかも、この場合ビタミンＣは粉末の形態で容器に収容し、注出口より流入する水で溶解されて水溶液を作るので、水道水に混ぜるための水溶液を多量に作ることができ、最初から水溶液を容器に収容する場合に比べて使用可能な水溶液が多くなり、長期にわたり使用することができる。
請求項１１の発明によれば、請求項１の場合と同様に、カートリッジ本体にフロート手段又は重錘を設けてカートリッジが流れの中で常に上下方向の向きを一定方向に維持するようにしたので、給水器具の向きがどのように変ってもカートリッジは上下方向の向きが変わらず、この上部に設けた注出口は必ず上部に位置するようになり、カートリッジ内の空気抜きが円滑に行われるとともに、給水器具を使用しない場合、すなわち通水しない場合、カートリッジ本体の溶液が注出口を通じて通水路に洩れ出ることはない。
しかも、通水路の中でカートリッジは自由に方向を変えられるので、これを拘束する支着構造が不要であり、構造が簡単になる。
そして通水路に通水すると、通水路を流れる水の一部が注出口よりカートリッジ本体内に侵入し、カートリッジ内の添加溶液を注出口を通じて通水路に放出する。よって、この溶液が通水路を流れる水に混合される。
【発明を実施するための最良の形態】
【実施例１】
【００１１】  以下本発明について、給水器具として美容・理容室用ハンド式シャワーヘッドに適用した第１の実施例を、図１ないし図３にもとづき説明する。図１はハンド式シャワーヘッドの断面図、図２は溶液注出カートリッジの分解した斜視図、図３（Ａ）ないし（Ｃ）はシャワーヘッドの向きが変った場合の各カートリッジの向きを説明する図である。
図において、１はハンド式シャワーヘッドの本体であり、ＡＢＳ樹脂などのような透明な合成樹脂にて形成されている。このヘッド本体１は、美容師や理容師が手のひらに包み込んで握れるように半球ドーム形をなしており、その頂部に水道導入口２を備えるとともに、反対側に放出口３を開口している。水道導入口２にはシャワーホース４が連結されており、このシャワーホース４を通じて水道水（お湯の場合もある）が導かれる。また、放出口３には散水板５が取付けられている。散水板５は全面に亘り多数個の散水孔６…が形成されており、これら散水孔６…よりシャワー水が放出される。なお、散水板５は、ヘッド本体１に螺着される押えリング７によりヘッド本体１に対し脱着可能に取付けられている。散水板５とヘッド本体１の間には水密を保つためのパッキング８が装着されている。【００１２】  上記ヘッド本体１内には、溶液注出カートリッジ１０が収容されている。このカートリッジ１０は透明な合成樹脂からなるカートリッジ本体１１と、ステンレスなどの金属からなる重錘１２および蓋体１３とで構成されている。
カートリッジ本体１１は、外径が例えば３０ｍｍ程度の中空球形をなしており、その底部に支着ボス１４を突設してある。この支着ボス１４には、重錘１２が支着されている。重錘１２は球欠形状をなしており、中央に取付孔１５が形成され、この取付孔１５に上記支着ボス１４を圧入等の手段で嵌合し、よって重錘１２はカートリッジ本体１１に固定されている。これにより、カートリッジ１０は全体として重心が重錘１２側に偏り、水中においては重錘１２を取付けた側が下を向くようになっている。
また、カートリッジ本体１１の上部には粉末充填口１６を開口してある。この粉末充填口１６はビタミンＣの粉末を注入するために直径５〜８ｍｍ程度の開口をなしており、この粉末充填口１６には、蓋体１３が嵌め殺しなどの手段で固着され、これにより閉塞されている。この蓋体１３は樹脂又は金属で作られており、上部に注出口１７を開口してある。この注出口１７は直径０．１〜０．４ｍｍ程度の小孔をなしており、ここからカートリッジ１０内の水溶液が注出する。
このようなカートリッジ１０内には、水溶性添加剤または添加溶液が収容されている。本実施例の場合、水溶性添加剤として塩素中和作用及びアルカリ濃度低減作用を奏するアスコルビン酸（ビタミンＣ）が粉末１８の形態で収容されている。なお、アスコルビン酸（ビタミンＣ）に代わって、アスコルビン酸ナトリウム、亜硫酸カルシウム、亜硫酸ナトリウムなどであってもよい。
このビタミンＣ粉末１８は、カートリッジ１０内に上記粉末充填口１６より装填され、この装填後にこの粉末充填口１６は蓋体１３で閉止される。なお、ビタミンＣ粉末１８はカートリッジ１０が満杯になるまで充填してよい。
上記カートリッジ１０は、シャワーヘッド本体１の半球ドーム形をなした通水箇所に収容される。この収容に際しては、押えリング７を外し、散水板５をヘッド本体１から外してヘッド本体１の内部に収容するものである。【００１３】  このような構成のハンド式シャワーヘッドについて、作用を説明する。
図示しない給水栓を開くとシャワーホース４より水道水（又はお湯）がシャワーヘッド本体１に供給される。この水は、ドーム型の通水部を通り、散水板５よりシャワー水となって散水される。
上記のような通水中、通水部に収容されたカートリッジ１０は、球形をなしており、それを拘束する手段がないので、通水部内で自由に動き得る状態にあり、しかも底部に重錘１２が取付けられているので、この重錘１２の重さで上下の向きが規制される。よって、注出口１７が常に上を向く。
この状態で、水道水の一部は注出口１７よりカートリッジ１０内に流入する。使用始めの時には、カートリッジ１０内に空気が残っているのでこの空気はカートリッジ１０内に水が浸入することで押され、この空気は水よりも軽いので上方に移動する。上方に押しやられた空気は上向きに開口している注出口１７から排除される。すなわち、注出口１７がカートリッジ１０の上部に開口されているので、カートリッジ１０内の空気抜きは円滑になされる。
これと同時に、カートリッジ１０に導入された水は、カートリッジ１０内に充填したビタミンＣの粉末１８を溶解し、ビタミンＣの水溶液を作る。ビタミンＣの粉末は約３倍の水に溶ける性質があるので、カートリッジ１０内に充填したビタミンＣの粉末のほぼ１／３が溶けて飽和水溶液となり、残り約２／３は粉末の状態で残る。
このようなビタミンＣの水溶液は、注出口１７より通水路に注出され、ここを流れる水道水に混ざり、水道水に含まれる残留塩素と反応して残留塩素を中和し、無害な塩素化合物に変える。よって、散水孔６…から放出されるシャワー水は有害な残留塩素が除去された水になる。
また、ビタミンＣの水溶液は、水道水に含まれるカルシウムなどのアルカリ物質と反応し、例えばアスコルビン酸カルシウムを生成し、よってアルカリ度を低減する。このため、散水孔６…から放出されるシャワー水は、アルカリ度の低い水になっており、アルカリ物質の結晶による散水孔６…の目詰まりなどを防止することができる。【００１４】  そしてまた、シャワーヘッドは、美容師や理容師がお客の頭髪を洗う場合、シャワーヘッド本体１１を手のひらに包み込み、洗う頭の場所によってシャワー水の出る向きを変えるので、シャワーヘッド本体１１は、図３の（Ａ）図ないし（Ｃ）図に示す通り、その向きを下向き、横向き、又は上向きに変えるが、シャワーヘッド本体１内に収容されている上記カートリッジ１０は、重錘１２の重さで注出口１７が常に上を向く。そして、シャワーヘッドが横向き、又は上向きの姿勢で放置された状態で通水を止められても、注出口１７が上にあるので、水溶液が洩れ出すことはない。
上記のように、シャワーを使用することによりカートリッジ１０内では注出口１７から入った水道水でビタミンＣの粉末を溶解し、この水溶液が注出口１７より注出され、このようにビタミンＣの粉末が残っている限り、粉末を溶解して水溶液を作り続ける。
シャワーヘッド本体１及びカートリッジ本体１１は透明であるからビタミンＣの粉末が外から見える。よってビタミンＣの粉末１８が無くなれば、カートリッジ１０を取り出して、新規なカートリッジと交換すればよいし、又は新規にビタミンＣの粉末を補充すれば、カートリッジ１０を継続して使用することもできる。
上記実施例の構造は、粉末を充填するための充填口１６は粉末を充填した後に閉塞しなければならないが、この充填口１６を閉じる蓋体１３に注出口１７を形成したので、別個に注出口を設ける必要がなく、加工および組み付けが容易である。
【実施例２】
【００１５】  図４は第２の実施例のカートリッジ２０を示す。このカートリッジ２０は、カートリッジ本体２１の上部に注出口２２を設けてあるとともに、下部に粉末１８の充填口２３を開口してあり、この充填口２３を重錘２４で閉塞してある。すなわち、重錘２４は鋲形状をなして嵌合ボス２５を突設してあり、この嵌合ボス２５を充填口２３に圧入することで重錘２４がカートリッジ本体２１に固定されている。
よって、重錘２４が充填口２３を閉塞する栓体を兼ねているので、部品点数を削減でき、加工が容易で、組立ても簡単になる。
【実施例３】
【００１６】  図５は第３の実施例のカートリッジ３０を示す。このカートリッジ３０は、カートリッジ本体３１の上部に粉末１８の充填口３２を設け、この粉末充填口３２を蓋体３３で閉止してある。この蓋体３３は球形の外郭を構成し、カートリッジ本体３１に対して接着剤や超音波溶着などの手段で液密に接着されていて、カートリッジ本体３１との間でフロート手段としての空気室３４を構成している。したがって、カートリッジ３０は上部にフロートが形成された構造になっている。この蓋体３３に注出口３５を設けてある。
このような構造であっても、空気室３４で生じる浮力によりカートリッジ３０は水中で常に上下方向の姿勢を保ち、シャワーヘッドがどのような向きに変化しても注出口３５は上向きの姿勢を保つ。
よって、注出口３５から、不慮に水溶液が漏洩することがない。
なお、この場合、空気室３４は、カートリッジ３０を水から浮かせる程の浮力を必要とせず、むしろカートリッジは常に水の中に沈んでいる状態が好ましく、よって空気室３４の空気容積はカートリッジが水中で上下の姿勢を維持するのに必要な浮力であれば良い。
【実施例４】
【００１７】  図６に、第４の実施例のカートリッジ４０を示す。このカートリッジ４０は、カートリッジ本体４１が上下半球づつに分割されており、下半分４２は金属又は比重の大きな樹脂で形成されて重錘を兼ねているとともに、上半分４３は比重の小さい樹脂で形成されていてフロートとなっており、これら上下部材は互いに接合されている。そして、上半分４３の部材の上部に粉末１８の充填口４４を開口してあり、この充填口４４はテープ又はフィルムなどからなる薄肉蓋体４５で閉塞してある。そして、このような薄肉蓋体４５に注出口４６を開けてある。
このようにしても、カートリッジ４０は下半分が重いので水中で常に上下の姿勢を維持する。
【実施例５】
【００１８】  図７および図８は第５の実施例を示す。
前記の実施例１では、給水器具として美容師や理容師が使うプロ仕様のシャワーヘッドについて説明したが、給水器具としては図７に示す第５の実施例のように、温泉や浴場、ホテル、又は一般家庭などで使用される浴槽用ハンド式シャワーヘッドであっても適用できる。
上記浴槽用シャワーヘッドは、図から理解できるように、へッド本体５０がヘッド部５１とグリップ部５２を備えており、使用するときは手でグリップ部５２を握って操作し、ヘッド部５１の向きを変えてシャワーの噴出方向を変える。
そして、比較的大きなスペースを有するヘッド部５１の通水部に、カートリッジを収容して使用する。カートリッジは、第１ないし第４の実施例に示されたようなカートリッジであっても良いが、本実施例では、フロート手段として発泡材料を用いたカートリッジ６０を用いてある。このカートリッジ６０は、図８に示すように、球形の一部をなすカートリッジ本体６１の上部に粉末１８の充填口６２を設け、この粉末充填口６２を蓋体６３で閉止してある。この蓋体６３は球形の外郭を構成し、カートリッジ本体６１に対してねじ込みや嵌め殺しなどの手段で接着されていて、この蓋体６３に充填口６２に通じる注出口６５を設けてある。
そして、この蓋体６３に、フロート手段としての発泡樹脂６６を取り付けてあり、カートリッジ６０は上部にフロートが形成された構造になっている。
なお、発泡樹脂としては、発泡ポリウレタン、発泡ポリスチレン、発泡ポリエーテル、発泡ポリエステルなど、種々のプラスチック発泡体が使用可能である。
このような構造であっても、発泡樹脂６６が保有する無数の微細な独立気泡により浮力が生じ、カートリッジ６０は水中で常に上下方向の姿勢を保ち、シャワーヘッドがどのような向きに変化しても注出口６５は上向きの姿勢を保つ。
よって、注出口６５から、不慮に水溶液が漏洩することがない。
また、シャワーを使用しないときは、シャワーヘッド本体５０は、通常、ヘッド部５１を上にしてグリップ部５２を図示しない壁掛けフックに引っ掛けておくが、この状態では、カートリッジ６０は、発泡樹脂６６の浮力で注出口６５が上に位置するので、水溶液が洩れ出すことはない。
なお、本発明はシャワーヘッドに制約されるものではなく、蛇口、浄水器、その他の給水器具に実施可能である。
【産業上の利用可能性】
【００１９】  以上説明した通り、本発明によれば，カートリッジが水の中で自由に遊動可能であって、そのカートリッジ本体にフロート手段又は重錘を設けてカートリッジが水の流れの中で常に上下の向きを一定に保つようにしたので、給水器具の向きがどのように変っても注出口が必ず上部に位置するようになり、通水しない場合にカートリッジ本体の溶液が注出口を通じて通水路に洩れ出ることはない。
しかも、カートリッジを拘束する構造が不要であり、構造が簡単である。
したがって、シャワーヘッドや浄水器その他の給水器具に用いれば、水道水に混入溶液を混ぜるのに有効である。
【図面の簡単な説明】
【００２０】
【図１】  本発明の第１の実施例を示し、プロ仕様のシャワーヘッドの断面図
【図２】  同実施例のカートリッジを分解した斜視図
【図３】  （Ａ）（Ｂ）（Ｃ）図はシャワーヘッドの向きを変えた場合の説明図
【図４】  本発明の第２の実施例を示し、カートリッジの断面図
【図５】  本発明の第３の実施例を示し、カートリッジの断面図
【図６】  本発明の第４の実施例を示し、カートリッジの断面図
【図７】  本発明の第５の実施例を示し、浴槽用シャワーヘッドの側面図
【図８】  同実施例のカートリッジの断面図
【符号の説明】
【００２１】    １、５０…シャワーヘッド本体
１０、２０、３０、４０、６０…カートリッジ
１１、２１、３１、４１、６１…カートリッジ本体
１２、２４…重錘
１３、３３，６３…蓋体
１６、２３、３２、６２…充填口
１７、２２、３５、４６、６５…注出口
３４…フロート室
６６…発泡樹脂
【図１】
0005224122.tif 000002
【図２】
0005224122.tif 000003
【図３】
0005224122.tif 000004
【図４】
0005224122.tif 000005
【図５】
0005224122.tif 000006
【図６】
0005224122.tif 000007
【図７】
0005224122.tif 000008
【図８】
0005224122.tif 000009